(57)【要約】【課題】空気層を保持して保温性や断熱性を維持し、結露低減を可能とするテント、さらには、軽量、折りたたみ時のコンパクト性に優れたテントを提供することを目的とする。【解決手段】テントを張るためのフレームと、テント本体生地と、生地厚み方向に立体的形状を有し、前記テント本体生地との間に空気層が形成されるように配置される補助生地と、を備え、前記テント本体生地と前記補助生地とがお互いの面方向で接触した場合に、前記補助生地の立体的形状の突起部分が前記テント本体生地面に当接することを特徴とする。【選択図】図１
2014070466.tif 000002
【特許請求の範囲】
【請求項１】
テントを張るためのフレームと、
テント本体生地と、
生地厚み方向に立体的形状を有し、前記テント本体生地との間に空気層が形成されるように配置される補助生地と、を備え、
前記テント本体生地と前記補助生地とがお互いの面方向で接触した場合に、前記補助生地の立体的形状の突起部分が前記テント本体生地面に当接する、テント。
【請求項２】
前記補助生地の立体的形状は、熱成型または形状記憶加工されたシワおよび／またはシボを有して形成されている、請求項１に記載のテント。
【請求項３】
前記テント本体生地に対して、前記補助生地を中間に配置して積層される裏生地をさらに備え、
前記テント本体生地と、前記補助生地と、前記裏生地とが結合され、
前記テント本体生地と前記補助生地との間に空気層が形成され、かつ前記補助生地と前記裏生地との間に空気層が形成される、請求項１または２に記載のテント。
【請求項４】
前記テント本体生地の内側に、前記補助生地を着脱自在に取り付け内張として設ける、請求項１または２に記載のテント。
【請求項５】
前記裏生地の内側に、内張としての補助生地を着脱自在に取り付ける、請求項３に記載のテント。
【請求項６】
前記補助生地が、１枚の生地または２枚以上の生地で嵩高く構成されている、請求項１〜５のいずれか１項に記載のテント。
【請求項７】
第１生地と第２生地との間に１枚もしくは２枚以上の前記補助生地を配置させ、それらの端部同士もしくはそれらの平面部同士を部分的に結合してなる積層生地を、前記テント本体生地の内側に着脱自在に取り付け内張として設ける、請求項１または２に記載のテント。
【請求項８】
第１生地と第２生地との間に１枚もしくは２枚以上の前記補助生地を配置させ、それらの端部同士もしくはそれらの平面部同士を部分的に結合してなる積層生地を、前記裏生地の内側に内張として着脱自在に取り付ける、請求項３に記載のテント。
【請求項９】
第１生地と第２生地との間に１枚もしくは２枚以上の前記補助生地を配置させ、それらの端部同士もしくはそれらの平面部同士を部分的に結合してなる積層生地を、前記テントの床部材あるいは敷材として設ける請求項１から８のいずれか１項に記載のテント。
【発明の詳細な説明】
【技術分野】
【０００１】
本発明はテント、例えば、防寒用のテントに関する。
【背景技術】
【０００２】
従来から、例えば、冬季、雪山、極地などに使用される防寒用テントは、ナイロンなどの生地が１枚で構成されている。防寒を目的に、この１枚のテント生地の内側に、フレーム（支柱）にフック等を用いてテント内側壁や天蓋（テント屋根）にカーテン状に、別の生地（ナイロンなど）を取り付けて生地を２重に配置することがある（これを「内張」という。）。この内張によって、２枚の生地の間にある程度の空気層ができるため、保温・断熱効果がある。
【０００３】
また、アウターテントと、その内側に配置されるインナーテントからなるテントがある（特許文献１参照）。
【先行技術文献】
【特許文献】
【０００４】
【特許文献１】実開平５−５２１３６号公報
【発明の概要】
【発明が解決しようとする課題】
【０００５】
しかしながら、内張構造および上記特許文献１の構造では、風などで２重の生地同士が揺れたり、押されたりすることで生地同士が接触して、生地間の空気層が小さくなったり無くなったりして、暖かい空気が逃げてしまい空気層の保温性が低下することがある。
【０００６】
本発明は、上記問題に鑑みてなされたものであって、空気層を保持して保温性、断熱性を維持し、結露低減を可能とするテント、さらには、軽量、折りたたみ時のコンパクト性に優れたテントを提供することを目的とする。
【課題を解決するための手段】
【０００７】
上記課題を解決するための本発明のテントは、テントを張るためのフレームと、テント本体生地と、生地厚み方向に立体的形状を有し、前記テント本体生地との間に空気層が形成されるように配置される補助生地を備え、前記テント本体生地と前記補助生地とがお互いの面方向で接触した場合に、前記補助生地の立体的形状の突起部分が前記テント本体生地面に当接する構成である。
【０００８】
この構成によれば、テント本体生地と補助生地が接触しても、補助生地の立体的形状の突起部分がテント本体生地に当接することによって、２枚の生地間の隙間（空気層）を好適に保持できるので、隙間（空気層）の対流を行わせることで、高い保温性や断熱性、結露低減を可能とする。
【０００９】
上記発明の一実施形態として、前記補助生地の立体的形状は、熱成型または形状記憶加工されたシワおよび／またはシボを有して形成されている。補助生地の生地厚み方向が嵩高くなるように連続的あるいは不連続的なシワ、シボ、あるいは重なり部分（くしゃくしゃ感）を形成した生地を補助生地として用いることが好ましい。このようなシワ、シボ、くしゃくしゃ感のある生地は、例えば、ワッシャー加工やエンボス加工などのシワ加工で得ることができる。シワを持続させるために、新たな加工方法として、ナイロンあるいはポリエステル等の編み組織、織り組織、または不織布等を連続的あるいは不連続的にシワ加工を施し、熱を加えて、シワおよび収縮を共に形状記憶させて立体化させた生地を得ることが好ましい。上記のシワで立体化させた生地は、単層で補助生地に用いてもよく、２層以上積層した状態を補助生地として用いてもよい。嵩高さの小さい生地と嵩高さの大きい生地との組み合わせのように、異なる種類の生地同士を積層して補助生地としてもよい。
【００１０】
上記発明の一実施形態として、補助生地は、空気層を設けるために、生地面がでこぼこしている構成がある。また、補助生地を形状記憶樹脂繊維で構成して、あるいは一部に含ませて、生地面の立体形状（でこぼこ形状）を維持させるように構成してもよい。
【００１１】
上記発明の一実施形態として、補助生地は、１種または複数種の立体形状面を有する１枚の生地で構成してもよい。補助生地の立体形状は、例えば、波形状、凹凸形状等挙げられる。また、生地面に立設するように起毛や別の生地を縫い合わせて立体形状を作ってもよいが、生地自体を立体的にするほうが、軽量、コンパクト性、速乾性などの面で好ましい。１枚の生地を立体的にするには、波型や凹凸形状を含む生地を編む（例えば、丸編みによって部分的な凹凸形状を複数箇所に作る）または織るようにしてもよい。また、平面状の生地に対し、凹凸、波型、山折りと谷折りを繰り返す蛇腹型、円筒形状、半円筒形状等の立体加工を施してもよい。また、１枚の生地は、１種類の編みまたは織りで形成されていてもよく、複数種類の編みまたは織りの組み合わせで１枚生地を構成していてもよく、複数の生地を縫い合わせて１枚生地に構成してあってもよい。
【００１２】
補助生地自体の厚みは、例えば０．０１ｍｍ〜１．５ｍｍの範囲が挙げられ、好ましくは０．０１ｍｍ〜１．０ｍｍの範囲で、より好ましくは０．０１ｍｍ〜０．５ｍｍの範囲である。薄いほど、軽量となるため好ましい。また、補助生地に設けた立体形状の厚み（補助生地の厚み方向の嵩高さ）は、２ｍｍ〜１００ｍｍの範囲若しくは１００ｍｍ以上でもよく、４ｍｍ〜１００ｍｍが好ましく、５ｍｍ〜１００ｍｍがより好ましい。補助生地に形成される立体形状（例えば、シワ、シボ）は、同じ形状である必要はなく、複数種類の形状を設けてもよく、立体形状の嵩高さが異なっていてもよい。
【００１３】
上記発明の一実施形態として、補助生地は、例えば、ナイロン、ポリエステル、コットン、麻、毛、不織布の単体生地、またはそれら２種以上の組み合わせ生地が挙げられる。軽量性の観点で、特に不織布が好ましい。
【００１４】
上記発明の一実施形態として、補助生地は、糸材料、織編方法は特に制限されず、また、各種加工処理（例えば、透湿防水加工、撥水加工、反発加工、抗菌防臭加工、蓄熱保温加工、遠赤外線加工、消臭加工、防虫加工等）も適宜施されていてもよい。補助生地は、例えば、編み組織、織り組織、不織布である。補助生地は、１層構造でも複層構造でもよいが、軽量性の観点から単層の方がより好ましい。補助生地は、例えば、ポリエステル、ナイロン等の合成繊維でもよく、天然繊維でもよい。補助生地は、１種類の繊維で構成されていてもよく、複数種類の繊維の組み合わせで構成されていてもよい。また、補助生地の原糸（繊維）自体に上記各種加工処理が施されていてもよい。
【００１５】
上記発明の一実施形態として、前記テント本体生地に対して、前記補助生地を中間に配置して積層される裏生地をさらに備え、前記テント本体生地と、前記補助生地と、前記裏生地とが結合され、前記テント本体生地と前記補助生地との間に空気層が形成され、かつ前記補助生地と前記裏生地との間に空気層が形成される。
【００１６】
この構成では、テント本体生地と、補助生地と、裏生地とが、例えば縫製、接着剤、連結部材、接着テープなどで結合される。お互いの端部同士を結合して、内側の生地同士を結合することを無くし、あるいはキルティングや部分的な縫い止め（補助生地とテント本体生地あるいは裏生地との縫製）を極力なくすことで空気層を維持する。
【００１７】
上記発明の一実施形態として、前記裏生地の内側に、内張としての補助生地を着脱自在に取り付ける。
【００１８】
上記発明の一実施形態として、前記テント本体生地の内側に、前記補助生地を着脱自在に取り付け内張として設ける。
【００１９】
この構成によれば、内張の方法は、特に制限されず、フレームあるいはテント本体生地の内側に補助生地を吊り下げるための留め部（例えばリング、面ファスナー、点ファスナー、クリップ受部、メスクリップなど）を設け、この留め部に取り付ける取付部（例えばフック、面ファスナー、点ファスナー、クリップ、オスクリップなど）を補助生地に設ける。これによって、フレームにテント本体生地を張り、次に、テント本体生地の内側に補助生地を取り付け、内張として機能させることができる。
【００２０】
上記発明の一実施形態として、前記補助生地が、１枚の生地または２枚以上の生地で嵩高く構成されている。補助生地は、複数の生地が嵩高く層状に配置されていてもよい。補助生地を構成する生地が１枚ではなく２枚以上積層されており、それぞれの生地が立体形状面を有して、嵩高くかつ大きい空気層を形成できる。積層される生地同士は、すべてが同じ立体形状面を有するものでもよく、異なる立体形状面を有するものでもよい。また、積層される生地同士は、端部分が縫製されていてもよく、端部分以外が縫製されていてもよく、部分的に縫製されていてもよい。
【００２１】
上記発明の一実施形態として、１枚もしくは２枚以上の前記補助生地と第１生地とを、それらの端部同士もしくはそれらの平面部同士を部分的に、縫製（縫い合わせ）もしくは接着する生地構成（２層もしくは３層以上構成の空気層保持機能を有する第１積層生地）がある。第１積層生地は、携行性、耐久性において好ましい。この第１積層生地を、前記テント本体生地、裏生地、テント内に配置される内貼、敷き材（テントの敷き材あるいは追加の敷きパット）として用いることができる。この第１積層生地を構成する第１生地は、特に制限されないが、例えば、上記テント本体生地、上記裏生地が例示される。また、複数の第１積層生地を積層した構成もある。
【００２２】
上記発明の一実施形態として、第１生地と第２生地との間に１枚もしくは２枚以上の前記補助生地を配置させ、それらの端部同士もしくはそれらの平面部同士を部分的に、縫製（縫い合わせ）もしくは接着する生地構成（３層もしくは４層以上構成の空気層保持機能を有する第２積層生地）がある。第２積層生地は、第１積層生地よりも携行性、耐久性において好ましい。この第２積層生地を、前記テント本体生地、裏生地、テント内に配置される内貼、敷き材（テントの敷き材あるいは追加の敷きパット）として用いることができる。この第２積層生地を構成する第１生地、第２生地は、特に制限されないが、例えば、上記テント本体生地、上記裏生地が例示される。また、複数の第２積層生地を積層した構成や第１積層生地と第２積層生地とを積層した構成もある。
【００２３】
上記発明のテントは、その目的、形状、サイズ、組み立て方法、が特に制限されず、例えば、登山、雪山、夏山、冬山、極地、ドーム型、ロッジ型、ロッジドーム型、Ａフレーム型、トンネル型、１人用、複数人用、自立式テント、非自立式テント、などが挙げられる。テントの補助器具として、ペグ、テンションロープなどを更に有していてもよい。また、テント本体生地には、開口部（例えば、出入口、換気口など）が形成されていてもよい。また、テントには、フライシート、外張をさらに設けられるものであってもよい。
【００２４】
上記発明において、テント本体生地、裏生地は、糸材料、縫製方法は特に制限されず、また、各種加工処理（例えば、透湿防水加工、撥水加工、反発加工、抗菌防臭加工、蓄熱保温加工、遠赤外線加工、消臭加工、防虫加工等）も適宜施されていてもよい。テント本体生地、裏生地は、同じ生地でもよく、異なる生地でもよい。テント本体生地、裏生地は、例えば、編み組織、織り組織である。テント本体生地、裏生地は、１層構造でも複層構造でもよいが、軽量性の観点から単層の方がより好ましい。テント本体生地、裏生地は、例えば、ポリエステル、ナイロン等の合成繊維でもよく、天然繊維でもよい。テント本体生地、裏生地は、１種類の繊維で構成されていてもよく、複数種類の繊維の組み合わせで構成されていてもよい。また、テント本体生地、裏生地の原糸（繊維）自体に上記各種加工処理が施されていてもよい。
【図面の簡単な説明】
【００２５】
【図１】テントの全体外観を示す図である。
【図２】実施形態１のテント本体生地、補助生地、裏生地、空気層を説明するための図である。
【図３】実施形態１の補助生地を説明するための図である。
【図４】実施形態２の補助生地による内張を説明するための図である。
【発明を実施するための形態】
【００２６】
＜実施形態１＞
実施形態１のテントを図面を用いて説明する。図１は、テントの全体外観図である。図１において、テント１は、テント１を張るためのフレーム１１、１２と、テント本体生地１６ａと、生地厚み方向に立体的形状を有し、テント本体生地１との間に空気層１８が形成されるように配置される補助生地１６ｂと、この補助生地１６ｂを中間に配置して積層される裏生地１６ｃを備えた三層構造生地１６である。テント本体生地１６ａと、補助生地１６ｂと、裏生地１６ｃとが端部同士で縫製される。図１において、テント正面側に入り口１６３が三層構造生地１６に形成されている。底シート１６１は、同様に三層構造生地１６でもよく、テント本体生地１６ａでもよい。底シート１６１の上に敷きマット（不図示）を敷いてもよい。
【００２７】
図２に三層構造生地の断面を示す。テント本体生地１６ａと補助生地１６ｂとの間に空気層１８が形成され、かつ補助生地１６ｂと裏生地１６ｃとの間に空気層１８が形成される。テント本体生地１６ａの内面と補助生地１６ｂの立体的形状の突起部分（嵩高い部分）Ｘとが接触して当接部Ｔを形成し、あるいは補助生地１６ｂの立体的形状の突起部分Ｘと裏生地１６ｃの内面とが接触して当接部Ｔを形成しても、それぞれの２枚の生地間の隙間（空気層１８）を維持している。これよって、空気層１８における空気の対流を常時行わせることができ、高い保温性、断熱性、結露低減を可能とする。
【００２８】
図３に補助生地１６ｂの外観を示す。補助生地１６ｂは、熱成型または形状記憶加工されたシワおよび／またはシボを有して形成されている。補助生地１６ｂは、その生地厚み方向で嵩高くなるように連続的あるいは不連続的なシワ、シボ、あるいは重なり部分（くしゃくしゃ感）を形成した生地である。このようなシワ、シボ、くしゃくしゃ感のある生地は、例えば、ワッシャー加工やエンボス加工などのシワ加工で得ることができる。シワを持続させるために、新たな加工方法として、ナイロンあるいはポリエステル等の編み組織、織り組織、または不織布等を連続的あるいは不連続的にシワ加工を施し、熱を加えて、シワおよび収縮を共に形状記憶させて立体化させた生地を得る。
【００２９】
＜別実施形態＞
上記実施形態１では、補助生地１６ｂが１重のものであったが、テント本体生地１６ａと裏生地１６ｃとの間に２重、３重に補助生地が積層されていてもよい。
【００３０】
また、補助生地１６ｂは、熱成型または形状記憶加工されたシワおよび／またはシボを有して形成されているものに限定されない。例えば、補助生地は、１種または複数種の立体形状面を有する１枚の生地で構成してもよい。補助生地の立体形状は、例えば、波形状、凹凸形状等挙げられる。また、平面状の生地に対し、凹凸、波型、山折りと谷折りを繰り返す蛇腹型、円筒形状、半円筒形状等の立体加工を施してもよい。
【００３１】
また、上記実施形態１では、テント本体生地１６ａ、補助生地１６ｂおよび裏生地１６ｃとが積層された三層構造生地１６であったが、テント本体生地１６ａ、補助生地１６ｂとを積層した２層構造生地であってもよい。テント本体生地１６ａに補助生地１６ｂが積層され、補助生地１６ｂの立体的形状によってそれら生地間の隙間（空気層）を維持するように縫製される。
【００３２】
また、テント本体生地１６ａ、裏生地１６ｃは、１枚生地に限定されず、複数枚の生地が積層されたものでもよい。
【００３３】
＜実施形態２＞
実施形態２の内張付きテントを図面を用いて説明する。図４は、テントの断面模式図である。図４において、テント１は、フレーム１１によってテント本体生地１６ａが張られている。このテント本体生地１６ａには、リング状の留め部２１がフレーム１１の下になるように設けられている。内張を構成する補助生地１６ｂは、留め部２１に係合する取付部３１を有し、この取付部３１が留め部２１に取り付けられる。取付部３１は、留め部２１に対応した位置に配置されるように補助生地１６ｂに設けられる。
【００３４】
＜別実施形態＞
上記実施形態２では、テント本体生地１６ａが一枚生地の構造であったが、実施形態１と同様にテント本体生地１６ａ、補助生地１６ｂおよび裏生地１６ｃとが積層された三層構造生地１６、テント本体生地１６ａおよび補助生地１６ｂとが積層された二層構造生地でもよい。かかる場合、裏生地１６ｃあるいは補助生地、テント本体生地にリング状の留め部２１が設けられ、内張としての補助生地１６ｃが取り付けられる。
【００３５】
また、内張の補助生地１６ｂは、１枚の１層構造でもよく、２層、３層以上の構造でもよい、同じ立体形状の補助生地を２層、３層以上にしてもよく、異なる立体形状の補助生地を２層、３層以上の構造にしてよい。かかる場合に、積層された補助生地同士は、端部分が縫製されていてもよく、端部分以外が縫製されていてもよく、部分的に縫製されてもいてもよい。
【００３６】
また、１枚もしくは２枚以上の補助生地と第１生地とを、それらの端部同士もしくはそれらの平面部同士を部分的に、縫製（縫い合わせ）もしくは接着した生地構成（２層もしくは３層以上構成の空気層保持機能を有する第１積層生地）を、テント本体生地、裏生地、テント内に配置される内貼、敷き材（テントの敷き材あるいは追加の敷きパット）として用いてもよい。
【００３７】
また、第１生地と第２生地との間に１枚もしくは２枚以上の補助生地を配置させ、それらの端部同士もしくはそれらの平面部同士を部分的に、縫製（縫い合わせ）もしくは接着した生地構成（３層もしくは４層以上構成の空気層保持機能を有する第２積層生地）を、テント本体生地、裏生地、テント内に配置される内貼、敷き材（テントの敷き材あるいは追加の敷きパット）として用いてもよい。
【００３８】
また、複数の第２積層生地を積層した生地構成や、第１積層生地と第２積層生地とを積層した生地構成を、テント本体生地、裏生地、テント内に配置される内貼、敷き材（テントの敷き材あるいは追加の敷きパット）として用いてもよい。複数の第２積層生地を積層した生地構成や、第１積層生地と第２積層生地とを積層した生地構成は、それら端部分が縫製されていてもよく、端部分以外が縫製されていてもよく、部分的に縫製されてもいてもよい。
【符号の説明】
【００３９】
１        テント
１１、１２    フレーム
１６      三層構造生地
１６ａ    テント本体生地
１６ｂ    補助生地
１６ｃ    裏生地
１８      空気層
２１      留め部
３１      取付部
Ｘ        立体的形状の突起部分（嵩高い部分）
Ｔ        当接部
【図１】
2014070466.tif 000003
【図２】
2014070466.tif 000004
【図３】
2014070466.tif 000005
【図４】
2014070466.tif 000006